(57)【要約】【課題】  ホワイトギャップを適切に抑制するため、印刷結果をスキャンすることで自動的にホワイトギャップを検出し、それからトラップ幅とトラッピング対象オブジェクトを決定することにより、ホワイトギャップを最適に補正することができる色ずれ補正方法、色ずれ補正装置、色ずれ補正媒体を提供する。【解決手段】  印刷時のホワイトギャップ防止のために、印刷結果からホワイトギャップを自動検出し、その補正を行うシステムにおいて、印刷結果をスキャンしてイメージに変換するステップと、紙と同色領域を検出するステップと、同色領域がホワイトギャップであるか判定するステップと、トラッピングの設定項目を決め、トラッピングを行うステップを有することを特徴とする。【選択図】        図１
2006165661.tif 000002
【特許請求の範囲】
【請求項１】
印刷時のホワイトギャップ防止のために、印刷結果からホワイトギャップを自動検出し、その補正を行うシステムにおいて、印刷結果をスキャンしてイメージに変換するステップと、紙と同色領域を検出するステップと、同色領域がホワイトギャップであるか判定するステップと、トラッピングの設定項目を決め、トラッピングを行うステップを有することを特徴とする色ずれ補正方法。
【請求項２】
請求項１記載の、印刷結果をスキャンしてイメージに変換するとは、入力データに対し印刷命令を出すステップと、その入力データを印刷するステップと、出力された印刷結果をスキャンするステップと、スキャンデータからソフト処理によりイメージに変換するステップを有することを特徴とする色ずれ補正方法。
【請求項３】
請求項１記載の、紙と同色領域を検出するとは、印刷結果のイメージデータから紙との色差がしきい値以下で、同色とみなす画素を検出するステップと、検出した画素が８近傍で隣接する場合、紙と同色領域としてまとめるステップを有することを特徴とする色ずれ補正方法。
【請求項４】
請求項１記載の、同色領域がホワイトギャップであるか判定するとは、
同色領域が印刷時の主走査方向に対して、領域の幅がしきい値以下で色ずれによって生じたものかどうか判定するステップと、しきい値以上の場合、ホワイトギャップが存在しないとしてそのまま再印刷するステップと、しきい値以下の場合、検出領域の主走査方向に隣接する２つの領域の相対濃度差がしきい値以上で、プロセスカラー間の境界に生じたホワイトギャップかどうか判定するステップと、しきい値以下の場合、ホワイトギャップではなかったとして、そのまま再印刷するステップと、しきい値以上の場合、その同色領域はホワイトギャップであると判定するステップを有することを特徴とする色ずれ補正方法。
【請求項５】
請求項１記載の、トラッピングの設定項目を決め、トラッピングを行うとは、ホワイトギャップと判定された領域をトラッピング処理対象領域として決定するステップと、主走査方向の色ずれはページ毎に分散することが少ないことから、検出されたホワイトギャップの幅を主走査方向のトラップ幅とするステップと、副走査方向の色ずれはページ毎に分散しやすいことから、副走査方向のトラップ幅はホワイトギャップの最大幅に均一で設定するステップと、このように設定したトラッピングを行うステップと、トラッピング処理が行われたデータを再印刷するステップを有することを特徴とする色ずれ補正方法。
【請求項６】
印刷時のホワイトギャップ防止のために、印刷結果からホワイトギャップを自動検出し、その補正を行うシステムにおいて、印刷結果をスキャンしてイメージに変換する手段と、紙と同色領域を検出する手段と、同色領域がホワイトギャップであるか判定する手段と、トラッピングの設定項目を決め、トラッピングを行う手段を有することを特徴とする色ずれ補正装置。
【請求項７】
請求項６記載の、印刷結果をスキャンしてイメージに変換するとは、入力データに対し印刷命令を出す手段と、その入力データを印刷する手段と、出力された印刷結果をスキャンする手段と、スキャンデータからソフト処理によりイメージに変換する手段を有することを特徴とする色ずれ補正装置。
【請求項８】
請求項６記載の、紙と同色領域を検出するとは、印刷結果のイメージデータから紙との色差がしきい値以下で、同色とみなす画素を検出する手段と、検出した画素が８近傍で隣接する場合、紙と同色領域としてまとめる手段を有することを特徴とする色ずれ補正装置。
【請求項９】
請求項６記載の、同色領域がホワイトギャップであるか判定するとは、同色領域が印刷時の主走査方向に対して、領域の幅がしきい値以下で色ずれによって生じたものかどうか判定する手段と、しきい値以上の場合、ホワイトギャップが存在しないとしてそのまま再印刷する手段と、しきい値以下の場合、検出領域の主走査方向に隣接する２つの領域の相対濃度差がしきい値以上で、プロセスカラー間の境界に生じたホワイトギャップかどうか判定する手段と、しきい値以下の場合、ホワイトギャップではなかったとして、そのまま再印刷する手段と、しきい値以上の場合、その同色領域はホワイトギャップであると判定する手段を有することを特徴とする色ずれ補正装置。
【請求項１０】
請求項６記載の、トラッピングの設定項目を決め、トラッピングを行うとは、ホワイトギャップと判定された領域をトラッピング処理対象領域として決定する手段と、主走査方向の色ずれはページ毎に分散することが少ないことから、検出されたホワイトギャップの幅を主走査方向のトラップ幅とする手段と、副走査方向の色ずれはページ毎に分散しやすいことから、副走査方向のトラップ幅はホワイトギャップの最大幅に均一で設定する手段と、このように設定したトラッピングを行う手段と、トラッピング処理が行われたデータを再印刷する手段を有することを特徴とする色ずれ補正装置。
【請求項１１】
印刷時のホワイトギャップ防止のために、印刷結果からホワイトギャップを自動検出し、その補正を行うシステムにおいて、印刷結果をスキャンしてイメージに変換する手順と、紙と同色領域を検出する手順と、同色領域がホワイトギャップであるか判定する手順と、トラッピングの設定項目を決め、トラッピングを行う手順を有することを特徴とする色ずれ補正媒体。
【請求項１２】
請求項１１記載の、印刷結果をスキャンしてイメージに変換するとは、入力データに対し印刷命令を出す手順と、その入力データを印刷する手順と、出力された印刷結果をスキャンする手順と、スキャンデータからソフト処理によりイメージに変換する手順を有することを特徴とする色ずれ補正媒体。
【請求項１３】
請求項１１記載の、紙と同色領域を検出するとは、印刷結果のイメージデータから紙との色差がしきい値以下で、同色とみなす画素を検出する手順と、検出した画素が８近傍で隣接する場合、紙と同色領域としてまとめる手順を有することを特徴とする色ずれ補正媒体。
【請求項１４】
請求項１１記載の、同色領域がホワイトギャップであるか判定するとは、同色領域が印刷時の主走査方向に対して、領域の幅がしきい値以下で色ずれによって生じたものかどうか判定する手順と、しきい値以上の場合、ホワイトギャップが存在しないとしてそのまま再印刷する手順と、しきい値以下の場合、検出領域の主走査方向に隣接する２つの領域の相対濃度差がしきい値以上で、プロセスカラー間の境界に生じたホワイトギャップかどうか判定する手順と、しきい値以下の場合、ホワイトギャップではなかったとして、そのまま再印刷する手順と、しきい値以上の場合、その同色領域はホワイトギャップであると判定する手順を有することを特徴とする色ずれ補正媒体。
【請求項１５】
請求項１１記載の、トラッピングの設定項目を決め、トラッピングを行うとは、ホワイトギャップと判定された領域をトラッピング処理対象領域として決定する手順と、主走査方向の色ずれはページ毎に分散することが少ないことから、検出されたホワイトギャップの幅を主走査方向のトラップ幅とする手順と、副走査方向の色ずれはページ毎に分散しやすいことから、副走査方向のトラップ幅はホワイトギャップの最大幅に均一で設定する手順と、このように設定したトラッピングを行う手順と、トラッピング処理が行われたデータを再印刷する手順を有することを特徴とする色ずれ補正媒体。
【発明の詳細な説明】
【技術分野】
【０００１】
本発明は、印刷装置、情報処理装置及び管理装置及びそれらの制御方法ならびにそれらを記憶する記憶媒体に関し、特に色ずれ補正方法、色ずれ補正装置、色ずれ補正媒体に係る。
【背景技術】
【０００２】
色ずれ（レジずれ、版ずれとも呼ばれる）は、印刷品位を落とし、高品位な出力結果を望むユーザーにとって大きな問題となっている。特に色ずれによってプロセスカラーがずれ、プロセスカラー同士が隣接する境界上に紙の地が出るホワイトギャップは目立つため、印刷品位を著しく低下させる。トラッピングというホワイトギャップに特化した補正方法が存在するが、その設定方法はユーザーが手動で設定することが多く、ドキュメント毎に最適な設定を行うことは、困難である。
【特許文献１】特開２０００−１９６９０６号公報
【発明の開示】
【発明が解決しようとする課題】
【０００３】
本発明は、上述の問題点に着目してなされたものであって、ホワイトギャップを適切に抑制するため、印刷結果をスキャンすることで自動的にホワイトギャップを検出し、それからトラップ幅とトラッピング対象オブジェクトを決定することにより、ホワイトギャップを最適に補正することができる色ずれ補正方法、色ずれ補正装置、色ずれ補正媒体を提供することを目的とする。
【課題を解決するための手段】
【０００４】
本発明は、印刷時のホワイトギャップ防止のために、印刷結果からホワイトギャップを自動検出し、その補正を行うシステムにおいて、印刷結果をスキャンしてイメージに変換するステップと、紙と同色領域を検出するステップと、同色領域がホワイトギャップであるか判定するステップと、トラッピングの設定項目を決め、トラッピングを行うステップを有することを特徴とする。
【発明の効果】
【０００５】
本発明は、印刷品位を保つために、ホワイトギャップを気にするユーザーにとって、ホワイトギャップの位置と大きさを自動的に検出し、最適な補正方法を行い再印刷かけることで、ホワイトギャップを抑制することが可能となる。
【発明を実施するための最良の形態】
【０００６】
次に発明の実施例について説明する。
【実施例】
【０００７】
図１は、本実施例に係る基本的な構成を示すブロック図である。
【０００８】
図１において１はＣＰＵ、即ち中央処理装置であり、本装置全体の制御及び演算処理を行う。２はＲＡＭ、即ちランダムアクセスメモリであり、処理毎にそれぞれのプログラム及びデータがロードされ、実行される領域である。３はＲＯＭ、即ち読み出し専用メモリであり、システム制御プログラムや、フォントデータなどの記憶領域である。４はＫＢＣ、即ちキーボード制御部であり、キーボード５（ＫＢ）からのキー入力によりデータを受け取りＣＰＵ１へ伝達する。６はＰＲＴＣ、即ちプリンタ制御部であり、プリンタ装置７（ＰＲＴ）を制御するためのものである。プリンタ装置７は、レーザービームプリンタ、インクジェットプリンタなどである。８はＣＲＴＣ、即ちディスプレイ制御部であり、ディスプレイ装置９（ＣＲＴ）への表示制御を行う。１０はＤＫＣ、即ちディスク制御部であり、データ伝送などの制御を行うものである。１１はＦＤ（フロッピー（登録商標）ディスク装置）あるいはＨＤ（ハードディスク装置）あるいはＣＤ（ＣＤＲＯＭ）などの外部記憶装置であり、プログラム及びデータを記憶させておき、実行時必要に応じて参照またはＲＡＭ２へロードする。１２はシステムバスであり、上述の構成要素間におけるデータ転送の通路となるべきものである。
【０００９】
本装置は、基本Ｉ／Ｏ（入出力）プログラム、ＯＳ（オペレーティングシステム）、及び以下に説明する版ずれ補正プログラムをＣＰＵ１が実行することにより動作する。
【００１０】
基本Ｉ／ＯプログラムはＲＯＭ３に記憶されており、ＯＳはＨＤ１１に書き込まれている。そして本装置の電源がＯＮにされたとき、基本Ｉ／Ｏプログラム中のＩＰＬ（イニシャルプログラムローディング）機能によりＨＤ１１からＯＳがＲＡＭ２に読み込まれ、ＯＳの動作が開始される。
【００１１】
本実施例では、版ずれ補正制御プログラムおよび関連データは図２のようにＦＤ１１、またはＣＤＲＯＭ１１中に記録されており、このＦＤ１１またはＣＤ−ＲＯＭ１１に記録された版ずれ補正制御プログラムおよび関連データは図３に示すように、ＦＤドライブまたはＣＤ−ＲＯＭドライブを通じて、本装置のＨＤ１１にインストールする事ができる。この場合ＦＤ１１またはＣＤ−ＲＯＭ１１をＦＤドライブまたはＣＤ−ＲＯＭドライブにセットすると、ＯＳ及び基本Ｉ／Ｏプログラムの制御のもとに版ずれ補正制御プログラム及び関連データがＦＤ１１またはＣＤ−ＲＯＭ１１から読み出され、ＨＤ１１にインストールされて動作可能となる。
【００１２】
図４は版ずれ補正制御プログラムがＨＤ１１にインストールされ実行可能になった状態のメモリマップを示す。
【００１３】
図５は本実施例における色ずれによって生じるホワイトギャップを自動的に検出し、対象ドキュメントに最適なトラッピングを施す流れを示すフローチャートである。ステップＳ５０１では、入力されたデータに対して印刷命令を出す。次にステップＳ５０２へ進み、入力データを印刷する。次にステップＳ５０３に進み、印刷結果をスキャンし、スキャンデータをソフト処理側へ送信する。次にステップＳ５０４へ進み、スキャンデータをイメージに変換する。次にステップＳ５０５に進み、変換されたイメージを構成する全画素に対して、スキャンラインを行い、紙の色との色差がしきい値以下の画素を紙と同色画素を検出する。次にステップＳ５０６に進み、検出された同色画素同士が８近傍において隣接する画素を、紙と同色領域としてまとめる。同色画素が孤立している場合は、ノイズとして削除する。次にステップＳ５０７に進み、再度イメージを印刷時における主走査方向にスキャンラインを行い、同色領域の主走査方向幅がしきい値以下であるかどうか判定する。しきい値以下で無い場合、色ずれによるホワイトギャップが生じていないとして、ステップＳ５１３に進み、何も補正処理は行わないまま再印刷する。また、しきい値以下の場合、ホワイトギャップが生じている可能性があるとして、ステップＳ５０８に進む。これはメカ誤差により生じるホワイトギャップは、０．数ミリ程度であることが一般的で、しきい値以上の場合は無色のオブジェクトと判定するためである。図６にその判定例を示す。例６−１の場合、主走査方向に対して検出領域の幅が大きく、しきい値以下でないため、ホワイトギャップではないと判定する。また、例６−２の場合、主走査方向に対して検出領域の幅が小さく、しきい値以下であるため次の判定条件であるステップＳ５０８に進む。ステップＳ５０８では、検出領域の主走査方向に隣接する相対濃度差が、しきい値以上であるかどうか判定する。しきい値以上でない場合、検出領域はホワイトギャップではないとして、ステップＳ５１３に進み、何も補正処理は行わないまま再印刷する。また、しきい値以上の場合、ホワイトギャップとして判定し、ステップＳ５０９に進む。これは色ずれは一般的に、プロセスカラー間の境界で生じるためである。図６にその判定例を示す。例６−２の場合、検出領域の主走査方向に隣接するカラーが同一なため、相対濃度差がゼロであり、しきい値以上ではないため、ホワイトギャップではないと判定する。また、例６−３の場合、検出領域の主走査方向に隣接するカラーが異なるプロセスカラーであるため、相対濃度差が大きく、しきい値以上であるため、ホワイトギャップではあると判定し、ステップＳ５０９に進む。ステップＳ５０９では、ホワイトギャップと判定された領域をトラッピング処理の対象領域とする。次にステップＳ５１０に進み、主走査方向と副走査方向のトラップ幅をそれぞれ決定する。主走査方向のトラップ幅は、ホワイトギャップと検出された領域に対してのみ、その領域幅をトラップ幅とする。これは、主走査方向の色ずれは、デバイス内の露光系に起因することが多く、印刷ページ毎に色ずれ量が大きく分散しないためである。また、副走査方向のトラップ幅は、ホワイトギャップと検出された領域内の最大幅を全オブジェクトに対して均一的に用いる。これは、副走査方向の色ずれは、デバイス内の搬送系に起因することが多く、印刷ページ毎に色ずれ量が分散しやすいためである。次にステップＳ５１１に進み、設定したトラップ幅を対象オブジェクトに対してトラッピング処理を行う。次にステップＳ５１２に進み、再印刷を行い処理を終了とする。
【図面の簡単な説明】
【００１４】
【図１】実施例の情報処理装置の構成図である。
【図２】ＦＤまたはＣＤ−ＲＯＭの記録内容を示す図である。
【図３】ＦＤまたはＣＤ−ＲＯＭと情報処理装置の関係図である。
【図４】情報処理装置のハードディスクにＦＡＸドライバがインストールされた際の情報処理装置のメモリマップを示す図である。
【図５】実施例１の処理の流れを示したフローチャート図である。
【図６】ホワイトギャップ判定の例を示す図である。
【符号の説明】
【００１５】
１  ＣＰＵ
２  ＲＡＭ
３  ＲＯＭ
４  ＫＢＣ
５  ＫＢ
６  ＰＲＴＣ
７  ＰＲＴ
８  ＣＲＴＣ
９  ＣＲＴ
１０  ＤＫＣ
１１  外部記憶装置
１２  システムバス
【図１】
2006165661.tif 000003
【図２】
2006165661.tif 000004
【図３】
2006165661.tif 000005
【図４】
2006165661.tif 000006
【図５】
2006165661.tif 000007
【図６】
2006165661.tif 000008